(57)【要約】【課題】不法複製移動端末機の登録認証失敗が正規製造移動端末機の正常な動作を妨げることを防止し、無線ネットワークの認証システムに不法複製移動端末機の登録認証の繰り返しによる負荷がかかるのを防止できる移動通信システムにおける複製端末機の認証処理方法を提供する。【解決手段】移動通信システムにおける複製端末機の認証処理方法は、移動端末機に登録認証成功フラグ及び登録認証失敗フラグを備え、登録認証に成功した正規製造移動端末機は、登録認証成功フラグを用いて、不法複製移動端末機の認証失敗による認証失敗メッセージを無視するようにし、不法複製移動端末機は、登録認証失敗フラグを用いて、電源の遮断／供給が繰り返し行われても登録認証を試みないようにする。【選択図】図３
2006191639.tif 000002
【特許請求の範囲】
【請求項１】
移動端末機の登録認証に成功すると、登録認証成功フラグをアクティブ状態に設定し、登録認証失敗による登録認証失敗メッセージが無線ネットワークから受信されると、前記移動端末機が、前記登録認証成功フラグのアクティブ状態によって、前記受信された登録認証失敗メッセージを無視することを特徴とする移動端末機の認証処理方法。
【請求項２】
前記移動端末機が正規製造端末機であることを特徴とする請求項１に記載の移動端末機の認証処理方法。
【請求項３】
前記登録認証失敗メッセージは、複製端末機が登録認証を試みるときに生成されることを特徴とする請求項１に記載の移動端末機の認証処理方法。
【請求項４】
前記登録認証失敗メッセージは、前記移動端末機に電源が供給された状態で受信されることを特徴とする請求項１に記載の移動端末機の認証処理方法。
【請求項５】
前記移動端末機が、前記登録認証成功フラグ及び登録認証失敗フラグを備えることを特徴とする請求項１に記載の移動端末機の認証処理方法。
【請求項６】
前記登録認証失敗フラグが非アクティブ状態を維持し、前記登録認証成功フラグがアクティブ状態を維持することを特徴とする請求項５に記載の移動端末機の認証処理方法。
【請求項７】
前記移動端末機は、電源が供給されると前記登録認証失敗フラグの状態を確認し、前記登録認証失敗フラグがアクティブ状態であるか否かによって、登録認証を試みるか否か選択することを特徴とする請求項５に記載の移動端末機の認証処理方法。
【請求項８】
前記登録認証失敗フラグがアクティブ状態でないと、前記移動端末機が登録認証を試みることを特徴とする請求項７に記載の移動端末機の認証処理方法。
【請求項９】
移動端末機の登録認証に失敗すると、登録認証失敗フラグをアクティブ状態に設定し、前記移動端末機に電源の遮断及び供給が繰り返し行われると、前記移動端末機が、前記登録認証失敗フラグのアクティブ状態によって、登録認証を試みることなく直ちに非正常な動作状態に切り替えることを特徴とする移動端末機の認証処理方法。
【請求項１０】
前記移動端末機が複製端末機であることを特徴とする請求項９に記載の移動端末機の認証処理方法。
【請求項１１】
前記移動端末機のメモリに、登録認証成功フラグ及び前記登録認証失敗フラグが備えられることを特徴とする請求項９に記載の移動端末機の認証処理方法。
【請求項１２】
前記登録認証失敗フラグがアクティブ状態を維持し、前記登録認証成功フラグが非アクティブ状態を維持することを特徴とする請求項１１に記載の移動端末機の認証処理方法。
【請求項１３】
前記移動端末機は、電源が供給されると前記登録認証失敗フラグの状態を確認し、前記登録認証失敗フラグがアクティブ状態であるか否かによって、登録認証を試みるか否か選択することを特徴とする請求項９に記載の移動端末機の認証処理方法。
【請求項１４】
前記登録認証失敗フラグがアクティブ状態でないと、前記移動端末機が登録認証を試みることを特徴とする請求項１３に記載の移動端末機の認証処理方法。
【請求項１５】
前記移動端末機の登録認証の試みが、前記移動端末機のメモリに保存されている前記登録認証失敗フラグがアクティブ状態に設定される前に最初の１回だけ行われることを特徴とする請求項１４に記載の移動端末機の認証処理方法。
【請求項１６】
前記登録認証失敗フラグがアクティブ状態であると、前記移動端末機が、登録認証を試みることなく直ちにロック状態に切り替えることを特徴とする請求項１４に記載の移動端末機の認証処理方法。
【請求項１７】
前記移動端末機がロックされているとき、正規製造端末機の電源がオフした後にオンして、前記正規製造端末機の登録認証成功による認証成功メッセージが前記移動端末機に受信されると、前記移動端末機が、前記登録認証失敗フラグのアクティブ状態によって、前記受信された認証成功メッセージを無視することを特徴とする請求項９に記載の移動端末機の認証処理方法。
【請求項１８】
前記移動端末機が登録認証を試みると、無線ネットワークが、前記移動端末機を複製端末機と判断して登録認証を失敗処理し、特定値を有する認証失敗メッセージを送信することを特徴とする請求項９に記載の移動端末機の認証処理方法。
【請求項１９】
前記特定値がパワーダウンを含むことを特徴とする請求項１８に記載の移動端末機の認証処理方法。
【請求項２０】
前記特定値を有する認証失敗メッセージを受信すると、前記移動端末機は、前記登録認証失敗フラグをアクティブ状態に設定し、パワーダウン状態に自動的に切り替えることを特徴とする請求項１９に記載の移動端末機の認証処理方法。
【発明の詳細な説明】
【技術分野】
【０００１】
本発明は、移動通信システムにおける正規製造端末機及び不法複製端末機の認証処理方法に関する。
【背景技術】
【０００２】
一般に、認証は、移動端末機のＩＤを確認するために、基地局、すなわち、移動通信ネットワーク（無線ネットワーク）と移動端末機との間で交換される情報により処理される。
【０００３】
正規製造移動端末機は、パワーオンになると登録認証を試みる。無線ネットワークは、前記登録認証に成功すると、認証成功メッセージを前記正規製造移動端末機に伝送し、前記正規製造移動端末機は、電源が供給されている間、正常な動作状態となる。
【０００４】
その後、不法複製移動端末機（すなわち、端末機固有番号と認証キーの値が不法に盗用された移動端末機）がパワーオンになって無線ネットワークに接続した場合、前記不法複製移動端末機は登録認証を試みるが、このとき、前記無線ネットワークは、認証失敗メッセージを前記不法複製移動端末機及び正常動作中の前記正規製造移動端末機に送信する。前記認証失敗メッセージがロック指示メッセージの場合、前記不法複製移動端末機及び前記正規製造移動端末機の両方ともロック状態となる。
【０００５】
従って、前記不法複製移動端末機だけでなく、前記正規製造移動端末機も、前記認証失敗メッセージにより、パワーオンしている間、それ以上正常な呼接続動作を行うことができなくなる。
【０００６】
このように、一般の不法複製移動端末機の認証処理方法においては、不法複製移動端末機の認証失敗により、正規製造移動端末機までも正常な動作を行うことができなくなるという問題があった。
【０００７】
また、不法複製移動端末機のユーザが不法複製移動端末機の電源をオフした後に再び電源をオンすると、前記不法複製移動端末機は、再び登録認証過程を試み、無線ネットワークは、再び登録認証を実行した後に認証失敗メッセージを再び前記不法複製移動端末機に送信する。
【０００８】
このように、一般の不法複製移動端末機の認証処理方法においては、不法複製移動端末機の電源のオフ／オンが繰り返し行われることによって、無線ネットワークの認証システムに負荷がかかるという問題があった。
【発明の開示】
【発明が解決しようとする課題】
【０００９】
本発明は、このような従来技術の問題を解決するためになされたもので、移動端末機のメモリに登録認証成功フラグを備え、前記移動端末機の登録認証に成功すると、前記移動端末機が前記登録認証成功フラグをアクティブ状態に設定し、前記移動端末機に電源が供給されているときに、前記移動端末機が不法複製移動端末機の登録認証失敗による認証失敗メッセージを受信すると、前記登録認証成功フラグのアクティブ状態に基づいて前記認証失敗メッセージを無視することにより、正常に登録認証された移動端末機が不法複製移動端末機の認証失敗の影響を受けずに正常な動作状態を維持できる移動通信システムにおける複製端末機の認証処理方法を提供することを目的とする。
【００１０】
本発明の他の目的は、移動端末機のメモリに登録認証失敗フラグを備え、電源が供給される度に、前記移動端末機が、前記登録認証失敗フラグの状態を確認し、前記登録認証失敗フラグが非アクティブ状態であると登録認証を試み、前記登録認証失敗フラグがアクティブ状態であると登録認証を試みることなく直ちに非正常な動作状態に切り替えることにより、不法複製移動端末機の電源のオフ／オンが繰り返し行われる場合、前記不法複製移動端末機が登録認証を繰り返し試みるのを防止して、無線ネットワークの登録認証の繰り返し及び負荷加重を防止できる移動通信システムにおける複製端末機の認証処理方法を提供することにある。
【課題を解決するための手段】
【００１１】
このような目的を達成するために、本発明による移動端末機の認証処理方法は、移動端末機の登録認証に成功すると、登録認証成功フラグをアクティブ状態に設定し、登録認証失敗による登録認証失敗メッセージが無線ネットワークから受信されると、前記移動端末機が、前記登録認証成功フラグのアクティブ状態によって、前記受信された登録認証失敗メッセージを無視することを特徴とする。ここで、前記移動端末機は、正規製造端末機であり、前記登録認証失敗メッセージは、複製端末機が登録認証を試みるときに生成される。
【００１２】
また、本発明による移動端末機の認証処理方法は、移動端末機の登録認証に失敗すると、登録認証失敗フラグをアクティブ状態に設定し、前記移動端末機に電源の遮断及び供給が繰り返し行われると、前記移動端末機が、前記登録認証失敗フラグのアクティブ状態によって、登録認証を試みることなく直ちに非正常な動作状態に切り替えることを特徴とする。ここで、前記移動端末機は複製端末機である。
【００１３】
さらに、本発明による移動通信システムにおける複製端末機の認証処理方法は、登録認証に成功した第１移動端末機は、登録認証成功フラグをアクティブ状態に設定し、電源が供給されているときに、登録認証失敗メッセージが無線ネットワークから伝送されると、前記登録認証成功フラグのアクティブ状態によって、前記受信された登録認証失敗メッセージを無視し、登録認証に失敗した第２移動端末機は、登録認証失敗フラグをアクティブ状態に設定し、電源の遮断／供給が繰り返し行われる度に、前記登録認証失敗フラグのアクティブ状態によって、登録認証を試みることなく直ちに非正常な動作状態に切り替えることを特徴とする。
【００１４】
上記目的を達成するために、本発明は、例えば、以下の手段を提供する。
（項目１）
移動端末機の登録認証に成功すると、登録認証成功フラグをアクティブ状態に設定し、登録認証失敗による登録認証失敗メッセージが無線ネットワークから受信されると、前記移動端末機が、前記登録認証成功フラグのアクティブ状態によって、前記受信された登録認証失敗メッセージを無視することを特徴とする移動端末機の認証処理方法。
（項目２）
前記移動端末機が正規製造端末機であることを特徴とする項目１に記載の移動端末機の認証処理方法。
（項目３）
前記登録認証失敗メッセージは、複製端末機が登録認証を試みるときに生成されることを特徴とする項目１に記載の移動端末機の認証処理方法。
（項目４）
前記登録認証失敗メッセージは、前記移動端末機に電源が供給された状態で受信されることを特徴とする項目１に記載の移動端末機の認証処理方法。
（項目５）
前記移動端末機が、前記登録認証成功フラグ及び登録認証失敗フラグを備えることを特徴とする項目１に記載の移動端末機の認証処理方法。
（項目６）
前記登録認証失敗フラグが非アクティブ状態を維持し、前記登録認証成功フラグがアクティブ状態を維持することを特徴とする項目５に記載の移動端末機の認証処理方法。
（項目７）
前記移動端末機は、電源が供給されると前記登録認証失敗フラグの状態を確認し、前記登録認証失敗フラグがアクティブ状態であるか否かによって、登録認証を試みるか否か選択することを特徴とする項目５に記載の移動端末機の認証処理方法。
（項目８）
前記登録認証失敗フラグがアクティブ状態でないと、前記移動端末機が登録認証を試みることを特徴とする項目７に記載の移動端末機の認証処理方法。
（項目９）
移動端末機の登録認証に失敗すると、登録認証失敗フラグをアクティブ状態に設定し、前記移動端末機に電源の遮断及び供給が繰り返し行われると、前記移動端末機が、前記登録認証失敗フラグのアクティブ状態によって、登録認証を試みることなく直ちに非正常な動作状態に切り替えることを特徴とする移動端末機の認証処理方法。
（項目１０）
前記移動端末機が複製端末機であることを特徴とする項目９に記載の移動端末機の認証処理方法。
（項目１１）
前記移動端末機のメモリに、登録認証成功フラグ及び前記登録認証失敗フラグが備えられることを特徴とする項目９に記載の移動端末機の認証処理方法。
（項目１２）
前記登録認証失敗フラグがアクティブ状態を維持し、前記登録認証成功フラグが非アクティブ状態を維持することを特徴とする項目１１に記載の移動端末機の認証処理方法。
（項目１３）
前記移動端末機は、電源が供給されると前記登録認証失敗フラグの状態を確認し、前記登録認証失敗フラグがアクティブ状態であるか否かによって、登録認証を試みるか否か選択することを特徴とする項目９に記載の移動端末機の認証処理方法。
（項目１４）
前記登録認証失敗フラグがアクティブ状態でないと、前記移動端末機が登録認証を試みることを特徴とする項目１３に記載の移動端末機の認証処理方法。
（項目１５）
前記移動端末機の登録認証の試みが、前記移動端末機のメモリに保存されている前記登録認証失敗フラグがアクティブ状態に設定される前に最初の１回だけ行われることを特徴とする項目１４に記載の移動端末機の認証処理方法。
（項目１６）
前記登録認証失敗フラグがアクティブ状態であると、前記移動端末機が、登録認証を試みることなく直ちにロック状態に切り替えることを特徴とする項目１４に記載の移動端末機の認証処理方法。
（項目１７）
前記移動端末機がロックされているとき、正規製造端末機の電源がオフした後にオンして、前記正規製造端末機の登録認証成功による認証成功メッセージが前記移動端末機に受信されると、前記移動端末機が、前記登録認証失敗フラグのアクティブ状態によって、前記受信された認証成功メッセージを無視することを特徴とする項目９に記載の移動端末機の認証処理方法。
（項目１８）
前記移動端末機が登録認証を試みると、無線ネットワークが、前記移動端末機を複製端末機と判断して登録認証を失敗処理し、特定値を有する認証失敗メッセージを送信することを特徴とする項目９に記載の移動端末機の認証処理方法。
（項目１９）
前記特定値がパワーダウンを含むことを特徴とする項目１８に記載の移動端末機の認証処理方法。
（項目２０）
前記特定値を有する認証失敗メッセージを受信すると、前記移動端末機は、前記登録認証失敗フラグをアクティブ状態に設定し、パワーダウン状態に自動的に切り替えることを特徴とする項目１９に記載の移動端末機の認証処理方法。
【発明の効果】
【００１５】
本発明による移動通信システムにおける複製端末機の認証処理方法は、移動端末機のメモリに登録認証成功フラグ及び登録認証失敗フラグを備え、登録認証に成功すると、前記登録認証成功フラグをアクティブ状態に設定し、登録認証に失敗すると、前記登録認証失敗フラグをアクティブ状態に設定し、電源が供給される度に前記登録認証失敗フラグの状態を確認し、前記登録認証失敗フラグがアクティブ状態であると、登録認証を試みることなく直ちに非正常な動作状態に切り替えることにより、不法複製移動端末機の電源供給が繰り返し行われることによって、無線ネットワークの認証システムの登録認証が繰り返し行われて負荷がかかるのを防止できるという効果がある。
【００１６】
また、本発明は、登録認証に成功した正規製造移動端末機が、正常な動作状態で不法複製移動端末機の登録認証失敗による認証失敗メッセージを受信すると、前記正規製造移動端末機は、前記登録認証成功フラグの状態を確認し、前記登録認証成功フラグがアクティブ状態であると、前記受信された認証失敗メッセージを無視して正常な動作状態を維持することにより、不法複製移動端末機の登録認証失敗が正規製造移動端末機に影響するのを防止するという効果がある。
【発明を実施するための最良の形態】
【００１７】
本発明においては、移動端末機のメモリに登録認証成功フラグ及び登録認証失敗フラグを備える。それゆえ、本発明による移動端末機は、電源が供給される度に、前記登録認証失敗フラグの状態によって、登録認証を試みるか否か判断することにより、前記移動端末機が不法複製移動端末機の場合、電源のオフ／オンが繰り返し行われることによって登録認証を繰り返し試みるのを防止し、無線ネットワークの認証システムが不要な登録認証過程を繰り返し実行することによって負荷が加重されるのを防止する。また、登録認証に成功した移動端末機は、電源が供給されているときに、再び登録認証結果メッセージを無線ネットワークから受信すると、前記登録認証成功フラグの状態によって、前記受信された登録認証結果メッセージを処理するか否か判断することにより、前記受信された登録認証結果メッセージが不法複製移動端末機の登録認証失敗により生成された認証失敗メッセージの場合、前記登録認証に成功した移動端末機は、前記認証失敗メッセージを無視して正常な動作状態を維持する。
【００１８】
一般に、移動端末機に認証キー（Ａ−ｋｅｙ）と端末機固有番号（ＥＳＮ）が設定された状態で電源が供給されると、移動端末機は登録認証を試みる。登録認証の実行時、移動端末機及び無線ネットワークは、共有秘密データ（Ｓｈａｒｅｄ  Ｓｅｃｒｅｔ  Ｄａｔａ；以下、ＳＳＤともいう）更新手順を行い、前記移動端末機により更新された共有秘密データ（ＳＳＤ）と前記無線ネットワークにより更新された共有秘密データ（ＳＳＤ）とが同一であると、登録認証に成功する。その後、前記移動端末機は、音声秘話及びメッセージ暗号化時に前記新しく更新された共有秘密データ（ＳＳＤ）を用いる。なお、前記共有秘密データ（ＳＳＤ）は、ＳＳＤ＿ＡとＳＳＤ＿Ｂとに分けられ、前記ＳＳＤ＿Ａは、認証手順をサポートするために用いられ、前記ＳＳＤ＿Ｂは、音声秘話及びメッセージ暗号化をサポートするために用いられる。
【００１９】
以下、一般の共有秘密データ（ＳＳＤ）更新方法について図１及び図２を参照して説明する。
【００２０】
図１は一般の共有秘密データ（ＳＳＤ）更新方法を示し、図２は一般の移動端末機の新しい認証情報生成方法を示す。
【００２１】
まず、電源が供給された移動端末機により登録認証が試みられると、無線ネットワークは、乱数ＲＡＮＤＳＳＤを含むＳＳＤ更新メッセージを移動端末機に送信する。これにより、共有秘密データ（ＳＳＤ）更新手順が開始する。
【００２２】
すなわち、乱数ＲＡＮＤＳＳＤを含むＳＳＤ更新メッセージを受信すると、前記移動端末機は、保存されていたＳＳＤ＿Ａ及びＳＳＤ＿Ｂを初期化する。その後、前記移動端末機は、前記初期化したＳＳＤ＿Ａ、前記受信された乱数ＲＡＮＤＳＳＤ、認証キー（Ａ−ｋｅｙ）、端末機固有番号（ＥＳＮ）、及び加入者電話番号（Ｍｏｂｉｌｅ  Ｉｄｅｎｔｉｆｉｃａｔｉｏｎ  Ｎｕｍｂｅｒ；ＭＩＮ）を第１認証アルゴリズムに入力して１次認証を行う。これにより、前記移動端末機は、新しいＳＳＤ（ＳＳＤ＿Ａ＿ＮＥＷ；ＳＳＤ＿Ｂ＿ＮＥＷ）を生成する（ＳＳＤ生成手順）。
【００２３】
その後、前記移動端末機は、乱数発生関数を用いて乱数ＲＡＮＤＢＳを生成し、基地局チャレンジ指示により、前記生成された乱数ＲＡＮＤＢＳを前記無線ネットワークに伝送する。
【００２４】
その後、前記移動端末機は、図２に示すように、ＲＡＮＤ＿ＣＨＡＬＬＥＮＧＥパラメータに前記生成された乱数ＲＡＮＤＢＳを入力し、ＳＳＤ＿ＡＵＴＨパラメータに前記生成されたＳＳＤ＿Ａ＿ＮＥＷを入力し、ＥＳＮパラメータに前記端末機固有番号（ＥＳＮ）を入力し、ＡＵＴＨ＿ＤＡＴＡパラメータに前記加入者電話番号（ＭＩＮ）を入力して、第２認証アルゴリズムにより２次認証を行う。これにより、前記移動端末機は、新しい認証情報（第１ＡＵＴＨＢＳ；第１認証情報）を生成する（認証−署名手順）。
【００２５】
一方、前記無線ネットワークは、前記移動端末機に乱数ＲＡＮＤＳＳＤを含むＳＳＤ更新メッセージを伝送した後、既に保存されたＳＳＤ＿Ａ及びＳＳＤ＿Ｂを初期化し、前記初期化したＳＳＤ＿Ａ、前記伝送された乱数ＲＡＮＤＳＳＤ、前記移動端末機の認証キー、前記移動端末機の端末機固有番号（ＥＳＮ）、及び前記移動端末機の加入者電話番号（ＭＩＮ）を第１認証アルゴリズムに入力して１次認証を行う。これにより、前記無線ネットワークは、新しいＳＳＤ（ＳＳＤ＿Ａ＿ＮＥＷ；ＳＳＤ＿Ｂ＿ＮＥＷ）を生成する。
【００２６】
その後、前記無線ネットワークは、前記移動端末機から前記基地局チャレンジ指示により伝送された乱数ＲＡＮＤＢＳ、前記ＳＳＤ＿Ａ＿ＮＥＷ、前記移動端末機の端末機固有番号（ＥＳＮ）、前記移動端末機の加入者電話番号（ＭＩＮ）を第２認証アルゴリズムに入力して２次認証を行う。これにより、前記無線ネットワークは、新しい認証情報（第２ＡＵＴＨＢＳ；第２認証情報）を生成する。ここで、前記移動端末機で用いられた第１及び第２認証アルゴリズムと、前記無線ネットワークで用いられた第１及び第２認証アルゴリズムとはそれぞれ同一である。
【００２７】
前記無線ネットワークは、前記２次認証により生成された第２認証情報（第２ＡＵＴＨＢＳ）を前記移動端末機に伝送する。
【００２８】
前記移動端末機は、その移動端末機で生成された第１認証情報と、前記無線ネットワークから伝送された第２認証情報とを比較する。前記移動端末機は、前記第１認証情報と前記第２認証情報とが同一であると、ＳＳＤ更新に成功したと判断し、ＳＳＤ更新成功をＳＳＤ更新確認指示により前記無線ネットワークに通知する。それに対して、前記第１認証情報と前記第２認証情報とが同一でないと、前記移動端末機は、ＳＳＤ更新に失敗したと判断し、ＳＳＤ更新失敗をＳＳＤ更新拒絶指示により前記無線ネットワークに通知する。
【００２９】
前記無線ネットワークは、前記移動端末機からＳＳＤ更新確認指示を受信すると、ＳＳＤ＿Ａ及びＳＳＤ＿ＢをそれぞれＳＳＤ＿Ａ＿ＮＥＷ及びＳＳＤ＿Ｂ＿ＮＥＷに更新し、登録認証に成功したことを通知する認証結果メッセージを前記移動端末機に送信する。それに対して、前記移動端末機からＳＳＤ更新拒絶指示を受信すると、前記無線ネットワークは、ＳＳＤ＿Ａ＿ＮＥＷ及びＳＳＤ＿Ｂ＿ＮＥＷを無視してＳＳＤ＿Ａ及びＳＳＤ＿Ｂの更新を行わず、登録認証に失敗したことを通知する認証結果メッセージを前記移動端末機に送信する。
【００３０】
このように、ＳＳＤ更新に成功して登録認証に成功すると、前記移動端末機は、新しく更新されたＳＳＤ（ＳＳＤ＿Ｂ＿ＮＥＷ）を音声秘話、メッセージ暗号化などの呼接続サービス時に用いる。
【００３１】
このような方法で、正規製造移動端末機（認証された移動端末機）が登録認証に成功して正常な動作状態にあるときに、不法複製移動端末機が登録認証を試みる場合、本発明による移動通信システムにおける正規製造移動端末機及び不法複製移動端末機の認証処理方法について図３を参照して説明する。
【００３２】
図３は本発明による移動通信システムにおける正規製造移動端末機及び不法複製移動端末機の認証処理方法を示す。
【００３３】
まず、移動端末機に電源が供給されると（Ｓ１１）、前記移動端末機は、登録認証失敗フラグの状態を確認し（Ｓ１２）、前記登録認証失敗フラグがアクティブ状態でないと、無線ネットワークとの登録認証を行う（Ｓ１３）。
【００３４】
前記移動端末機が正規製造移動端末機の場合、前記無線ネットワークとの登録認証は成功し、登録認証の実行結果として認証成功メッセージが前記無線ネットワークから送信される。それに対して、前記移動端末機が不法複製移動端末機の場合、前記無線ネットワークとの登録認証は失敗し、登録認証の実行結果として認証失敗メッセージが前記無線ネットワークから送信される。
【００３５】
正規製造移動端末機が登録認証に成功して正常な動作状態にあるときに、不法複製移動端末機が登録認証を試みると、無線ネットワークは、前記登録認証を試みる移動端末機を不法複製移動端末機と判断して登録認証を失敗処理し、特定値を有する認証失敗メッセージを送信する。例えば、前記特定値は、パワーダウンのような値を有する。
【００３６】
前記無線ネットワークから送信された認証結果メッセージが認証成功メッセージであると、前記移動端末機は、登録認証に成功したと判断し（Ｓ１４）、登録認証成功フラグをアクティブ状態に設定し（Ｓ１５）、呼接続サービスなどを行うことができる正常な動作状態に切り替える。
【００３７】
それに対して、前記無線ネットワークから送信された認証結果メッセージが認証失敗メッセージであると、前記移動端末機は、登録認証に失敗したと判断し（Ｓ１４）、登録認証失敗フラグをアクティブ状態に設定した後（Ｓ１６）、ロック状態などの非正常な動作状態に切り替えることもでき、自動的にパワーダウンすることもできる（Ｓ１７）。
【００３８】
一方、前記段階Ｓ１２で、前記登録認証失敗フラグがアクティブ状態であると、前記移動端末機は、登録認証を行うことなく直ちにロック状態に切り替える（Ｓ１８）。従って、本発明は、前記移動端末機が不法複製移動端末機の場合、不法複製移動端末機の電源のオフ／オンが繰り返し行われることによって、無線ネットワークの認証システムが登録認証を繰り返し行われなければならないという負荷を事前に排除することができる。
【００３９】
以下、正常に登録認証された移動端末機（正規製造移動端末機）が正常な動作状態にある場合、不法複製移動端末機が登録認証を試みたときに、正規製造移動端末機が不法複製移動端末機の登録認証失敗を処理する方法について、図４を参照して説明する。
【００４０】
図４は本発明による正規製造移動端末機が不法複製移動端末機の登録認証失敗による認証失敗メッセージを処理する方法を示す。
【００４１】
正規製造移動端末機に電源が供給されているときに（正常な動作状態）、前記正規製造移動端末機に認証結果メッセージが受信されると（Ｓ２１）、前記正規製造移動端末機は、その正規製造移動端末機のメモリに保存されている登録認証成功フラグの状態を先に確認する（Ｓ２２）。前記登録認証成功フラグがアクティブ状態であると、前記正規製造移動端末機は、前記受信された認証結果メッセージを無視して正常な動作状態を維持する（Ｓ２３）。それに対して、前記登録認証成功フラグがアクティブ状態でないと、前記正規製造移動端末機は、前記登録認証失敗フラグがアクティブ状態であるか否か確認し（Ｓ２４）、前記登録認証失敗フラグが非アクティブ状態であると、前記認証結果メッセージによる動作を行う（Ｓ２６）。
【００４２】
従って、本発明は、正常な動作状態にある正規製造移動端末機が不法複製移動端末機の認証失敗により非正常に動作することを防止する。
【００４３】
一方、ロック状態の不法複製移動端末機に正規製造移動端末機の登録認証成功メッセージが受信された場合、前記不法複製移動端末機の処理方法について、図４を参照して説明する。
【００４４】
不法複製移動端末機がロック状態を維持しているときに、正規製造移動端末機がユーザにより電源がオフした後にオンして、前記正規製造移動端末機の登録認証成功による認証成功メッセージが前記不法複製移動端末機に受信されると（Ｓ２１）、前記不法複製移動端末機は、登録認証成功フラグがアクティブ状態であるか否か確認し、前記登録認証成功フラグが非アクティブ状態であると（Ｓ２２）、前記登録認証失敗フラグがアクティブ状態であるか否か確認する（Ｓ２４）。前記登録認証失敗フラグがアクティブ状態であると、前記不法複製移動端末機は、前記受信された認証成功メッセージを無視してロック状態に切り替える（Ｓ２５）。
【００４５】
従って、本発明は、不法複製移動端末機が非正常な動作状態のときに、正規製造移動端末機の認証成功により正常に動作することを防止する。
【００４６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４７】
不法複製移動端末機の登録認証失敗が正規製造移動端末機の正常な動作を妨げることを防止し、無線ネットワークの認証システムに不法複製移動端末機の登録認証の繰り返しによる負荷がかかるのを防止できる移動通信システムにおける複製端末機の認証処理方法を提供する。
【００４８】
移動通信システムにおける複製端末機の認証処理方法は、移動端末機に登録認証成功フラグ及び登録認証失敗フラグを備え、登録認証に成功した正規製造移動端末機は、登録認証成功フラグを用いて、不法複製移動端末機の認証失敗による認証失敗メッセージを無視するようにし、不法複製移動端末機は、登録認証失敗フラグを用いて、電源の遮断／供給が繰り返し行われても登録認証を試みないようにする。
【図面の簡単な説明】
【００４９】
【図１】一般の共有秘密データ更新方法を示す図である。
【図２】一般の移動端末機の新しい認証情報生成方法を示す図である。
【図３】本発明による移動通信システムにおける正規製造移動端末機及び不法複製移動端末機の認証処理方法を示すフローチャートである。
【図４】本発明による正規製造移動端末機が不法複製移動端末機の登録認証失敗による認証失敗メッセージを処理する方法を示すフローチャートである。
【図１】
2006191639.tif 000003
【図２】
2006191639.tif 000004
【図３】
2006191639.tif 000005
【図４】
2006191639.tif 000006